(57)【特許請求の範囲】
【請求項１】
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
管理サーバと、
を有する表示管理システムであって、
前記管理サーバは、
前記マスタ表示装置が実行可能な複数の表示関連処理の中から、１つ以上の表示関連処理を、ユーザに選択させる選択手段と、
前記選択手段で選択された表示関連処理と同じ表示関連処理を前記作業用表示装置が実行可能な場合に、該表示関連処理を前記作業用表示装置に指示する指示手段と、
を有し、
前記作業用表示装置は、
前記指示手段から指示された表示関連処理を実行する処理手段と、
前記処理手段で表示関連処理が実行されている状態で、入力された画像を表示部に表示する表示手段と、
を有する
ことを特徴とする表示管理システム。
【請求項２】
表示関連処理毎に、その表示関連処理を代替する他の表示関連処理である代替表示関連処理が予め定められており、
前記選択手段で選択された表示関連処理と同じ表示関連処理を前記作業用表示装置が実行不可能な場合に、前記指示手段は、前記作業用表示装置が実行可能な複数の表示関連処理のうち、前記選択手段で選択された表示関連処理に対応する代替表示関連処理を、前記作業用表示装置に指示する
ことを特徴とする請求項１に記載の表示管理システム。
【請求項３】
表示関連処理毎に、その表示関連処理を代替する他の表示関連処理である代用表示関連処理が予め定められており、
前記選択手段で選択された表示関連処理と同じ表示関連処理、及び、該表示関連処理に対応する代替表示関連処理を前記作業用表示装置が実行不可能な場合に、前記指示手段は、前記作業用表示装置に、前記マスタ表示装置と同じ表示を行えない旨の警告の表示を指示し、
前記表示手段は、前記指示手段から前記警告の表示が指示された場合に、表示部に該警告を表示する
ことを特徴とする請求項１または２に記載の表示管理システム。
【請求項４】
前記管理サーバは、前記マスタ表示装置が実行可能な複数の表示関連処理を表す第１の機能情報と、前記作業用表示装置が実行可能な複数の表示関連処理を表す第２の機能情報と、表示関連処理毎に、その表示関連処理に対応する代替表示関連処理を表す代替情報と、を記憶する記憶部を更に有し、
前記選択手段は、前記第１の機能情報で表される複数の表示関連処理の中から、１つ以上の表示関連処理をユーザに選択させ、
前記指示手段は、
前記選択手段で選択された表示関連処理と、前記第２の機能情報とを比較して、前記選択手段で選択された表示関連処理と同じ表示関連処理を前記作業用表示装置が実行可能か否かを判断し、
前記選択手段で選択された表示関連処理と同じ表示関連処理を前記作業用表示装置が実行不可能であると判断した場合に、前記選択手段で選択された表示関連処理と、前記代替情報とを比較して、前記選択手段で選択された表示関連処理に対応する代替表示関連処理を判断する
ことを特徴とする請求項２または３に記載の表示管理システム。
【請求項５】
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
を有する表示管理システムであって、
前記マスタ表示装置は、
前記マスタ表示装置が実行可能な複数の表示関連処理の中から、１つ以上の表示関連処理を、ユーザに選択させる選択手段と、
前記選択手段で選択された表示関連処理と同じ表示関連処理を前記作業用表示装置が実行可能な場合に、該表示関連処理を前記作業用表示装置に指示する指示手段と、
を有し、
前記作業用表示装置は、
前記指示手段から指示された表示関連処理を実行する処理手段と、
前記処理手段で表示関連処理が実行されている状態で、入力された画像を表示部に表示する表示手段と、
を有する
ことを特徴とする表示管理システム。
【請求項６】
表示関連処理毎に、その表示関連処理を代替する他の表示関連処理である代替表示関連処理が予め定められており、
前記選択手段で選択された表示関連処理と同じ表示関連処理を前記作業用表示装置が実行不可能な場合に、前記指示手段は、前記作業用表示装置が実行可能な複数の表示関連処
理のうち、前記選択手段で選択された表示関連処理に対応する代替表示関連処理を、前記作業用表示装置に指示する
ことを特徴とする請求項５に記載の表示管理システム。
【請求項７】
表示関連処理毎に、その表示関連処理を代替する他の表示関連処理である代替表示関連処理が予め定められており、
前記選択手段で選択された表示関連処理と同じ表示関連処理、及び、該表示関連処理に対応する代替表示関連処理を前記作業用表示装置が実行不可能な場合に、前記指示手段は、前記作業用表示装置に、前記マスタ表示装置と同じ表示を行えない旨の警告の表示を指示し、
前記表示手段は、前記指示手段から前記警告の表示が指示された場合に、表示部に該警告を表示する
ことを特徴とする請求項５または６に記載の表示管理システム。
【請求項８】
前記マスタ表示装置は、前記マスタ表示装置が実行可能な複数の表示関連処理を表す第１の機能情報と、前記作業用表示装置が実行可能な複数の表示関連処理を表す第２の機能情報と、表示関連処理毎に、その表示関連処理に対応する代替表示関連処理を表す代替情報と、を記憶する記憶部を更に有し、
前記選択手段は、前記第１の機能情報で表される複数の表示関連処理の中から、１つ以上の表示関連処理をユーザに選択させ、
前記指示手段は、
前記選択手段で選択された表示関連処理と、前記第２の機能情報とを比較して、前記選択手段で選択された表示関連処理と同じ表示関連処理を前記作業用表示装置が実行可能か否かを判断し、
前記選択手段で選択された表示関連処理と同じ表示関連処理を前記作業用表示装置が実行不可能であると判断した場合に、前記選択手段で選択された表示関連処理と、前記代替情報とを比較して、前記選択手段で選択された表示関連処理に対応する代替表示関連処理を判断する
ことを特徴とする請求項６または７に記載の表示管理システム。
【請求項９】
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置であって、
ユーザが前記作業用表示装置を用いて編集した画像を確認するために用いられ、入力された画像を、表示関連処理を実行しながら表示部に表示するマスタ表示装置が実行可能な複数の表示関連処理を表す第１の機能情報を取得し、前記第１の機能情報で表される複数の表示関連処理の中から、１つ以上の表示関連処理を、ユーザに選択させる選択手段と、
前記選択手段で選択された表示関連処理と同じ表示関連処理を前記作業用表示装置が実行可能な場合に、該表示関連処理を実行する処理手段と、
前記表示関連処理手段で表示関連処理が実行されている状態で、入力された画像を表示部に表示する表示手段と、
を有し、
表示関連処理毎に、その表示関連処理を代替する他の表示関連処理である代替表示関連処理が予め定められており、
前記選択手段で選択された表示関連処理と同じ表示関連処理を前記作業用表示装置が実行不可能な場合に、前記処理手段は、前記作業用表示装置が実行可能な複数の表示関連処理のうち、前記選択手段で選択された表示関連処理に対応する代替表示関連処理を実行する
ことを特徴とする作業用表示装置。
【請求項１０】
前記選択手段で選択された表示関連処理と同じ表示関連処理、及び、該表示関連処理に対応する代替表示関連処理を前記作業用表示装置が実行不可能な場合に、前記表示手段は、前記マスタ表示装置と同じ表示を行えない旨の警告を表示する
ことを特徴とする請求項９に記載の作業用表示装置。
【請求項１１】
前記作業用表示装置は、前記第１の機能情報と、前記作業用表示装置が実行可能な複数の表示関連処理を表す第２の機能情報と、表示関連処理毎に、その表示関連処理に対応する代替表示関連処理を表す代替情報と、を記憶する記憶部を更に有し、
前記選択手段は、前記記憶部から前記第１の機能情報を取得し、
前記処理手段は、
前記選択手段で選択された表示関連処理と、前記第２の機能情報とを比較して、前記選択手段で選択された表示関連処理と同じ表示関連処理を前記作業用表示装置が実行可能か否かを判断し、
前記選択手段で選択された表示関連処理と同じ表示関連処理を前記作業用表示装置が実行不可能であると判断した場合に、前記選択手段で選択された表示関連処理と、前記代替情報とを比較して、前記選択手段で選択された表示関連処理に対応する代替表示関連処理を判断する
ことを特徴とする請求項９または１０に記載の作業用表示装置。
【請求項１２】
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
管理サーバと、
を有する表示管理システムの制御方法であって、
前記管理サーバが、前記マスタ表示装置が実行可能な複数の表示関連処理の中から、１つ以上の表示関連処理を、ユーザに選択させる選択ステップと、
前記管理サーバが、前記選択ステップで選択された表示関連処理と同じ表示関連処理を前記作業用表示装置が実行可能な場合に、該表示関連処理を前記作業用表示装置に指示する指示ステップと、
前記作業用表示装置が、前記指示ステップで指示された表示関連処理を実行する処理ステップと、
前記作業用表示装置が、前記処理ステップで表示関連処理が実行されている状態で、入力された画像を表示部に表示する表示ステップと、
を有することを特徴とする表示管理システムの制御方法。
【請求項１３】
表示関連処理毎に、その表示関連処理を代替する他の表示関連処理である代替表示関連処理が予め定められており、
前記選択ステップで選択された表示関連処理と同じ表示関連処理を前記作業用表示装置が実行不可能な場合に、前記指示ステップでは、前記管理サーバが、前記作業用表示装置が実行可能な複数の表示関連処理のうち、前記選択ステップで選択された表示関連処理に対応する代替表示関連処理を、前記作業用表示装置に指示する
ことを特徴とする請求項１２に記載の表示管理システムの制御方法。
【請求項１４】
表示関連処理毎に、その表示関連処理を代替する他の表示関連処理である代替表示関連処理が予め定められており、
前記選択ステップで選択された表示関連処理と同じ表示関連処理、及び、該表示関連処理に対応する代替表示関連処理を前記作業用表示装置が実行不可能な場合に、前記指示ス
テップでは、前記管理サーバが、前記作業用表示装置に、前記マスタ表示装置と同じ表示を行えない旨の警告の表示を指示し、
前記表示ステップでは、前記指示ステップで前記警告の表示が指示された場合に、前記作業用表示装置が、表示部に該警告を表示する
ことを特徴とする請求項１２または１３に記載の表示管理システムの制御方法。
【請求項１５】
前記管理サーバは、前記マスタ表示装置が実行可能な複数の表示関連処理を表す第１の機能情報と、前記作業用表示装置が実行可能な複数の表示関連処理を表す第２の機能情報と、表示関連処理毎に、その表示関連処理に対応する代替表示関連処理を表す代替情報と、を記憶する記憶部を有しており、
前記選択ステップでは、前記管理サーバが、前記第１の機能情報で表される複数の表示関連処理の中から、１つ以上の表示関連処理をユーザに選択させ、
前記指示ステップでは、前記管理サーバが、
前記選択ステップで選択された表示関連処理と、前記第２の機能情報とを比較して、前記選択ステップで選択された表示関連処理と同じ表示関連処理を前記作業用表示装置が実行可能か否かを判断し、
前記選択ステップで選択された表示関連処理と同じ表示関連処理を前記作業用表示装置が実行不可能であると判断した場合に、前記選択ステップで選択された表示関連処理と、前記代替情報とを比較して、前記選択ステップで選択された表示関連処理に対応する代替表示関連処理を判断する
ことを特徴とする請求項１３または１４に記載の表示管理システムの制御方法。
【請求項１６】
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
を有する表示管理システムの制御方法であって、
前記マスタ表示装置が、前記マスタ表示装置が実行可能な複数の表示関連処理の中から、１つ以上の表示関連処理を、ユーザに選択させる選択ステップと、
前記マスタ表示装置が、前記選択ステップで選択された表示関連処理と同じ表示関連処理を前記作業用表示装置が実行可能な場合に、該表示関連処理を前記作業用表示装置に指示する指示ステップと、
前記作業用表示装置が、前記指示ステップで指示された表示関連処理を実行する処理ステップと、
前記作業用表示装置が、前記処理ステップで表示関連処理が実行されている状態で、入力された画像を表示部に表示する表示ステップと、
を有することを特徴とする表示管理システムの制御方法。
【請求項１７】
表示関連処理毎に、その表示関連処理を代替する他の表示関連処理である代替表示関連処理が予め定められており、
前記選択ステップで選択された表示関連処理と同じ表示関連処理を前記作業用表示装置が実行不可能な場合に、前記指示ステップでは、前記マスタ表示装置が、前記作業用表示装置が実行可能な複数の表示関連処理のうち、前記選択ステップで選択された表示関連処理に対応する代替表示関連処理を、前記作業用表示装置に指示する
ことを特徴とする請求項１６に記載の表示管理システムの制御方法。
【請求項１８】
表示関連処理毎に、その表示関連処理を代替する他の表示関連処理である代替表示関連処理が予め定められており、
前記選択ステップで選択された表示関連処理と同じ表示関連処理、及び、該表示関連処理に対応する代替表示関連処理を前記作業用表示装置が実行不可能な場合に、前記指示ステップでは、前記マスタ表示装置が、前記作業用表示装置に、前記マスタ表示装置と同じ表示を行えない旨の警告の表示を指示し、
前記表示ステップでは、前記指示ステップで前記警告の表示が指示された場合に、前記作業用表示装置が、表示部に該警告を表示する
ことを特徴とする請求項１６または１７に記載の表示管理システムの制御方法。
【請求項１９】
前記マスタ表示装置は、前記マスタ表示装置が実行可能な複数の表示関連処理を表す第１の機能情報と、前記作業用表示装置が実行可能な複数の表示関連処理を表す第２の機能情報と、表示関連処理毎に、その表示関連処理に対応する代替表示関連処理を表す代替情報と、を記憶する記憶部を有しており、
前記選択ステップでは、前記マスタ表示装置が、前記第１の機能情報で表される複数の表示関連処理の中から、１つ以上の表示関連処理をユーザに選択させ、
前記指示ステップでは、前記マスタ表示装置が、
前記選択ステップで選択された表示関連処理と、前記第２の機能情報とを比較して、前記選択ステップで選択された表示関連処理と同じ表示関連処理を前記作業用表示装置が実行可能か否かを判断し、
前記選択ステップで選択された表示関連処理と同じ表示関連処理を前記作業用表示装置が実行不可能であると判断した場合に、前記選択ステップで選択された表示関連処理と、前記代替情報とを比較して、前記選択ステップで選択された表示関連処理に対応する代替表示関連処理を判断する
ことを特徴とする請求項１７または１８に記載の表示管理システムの制御方法。
【請求項２０】
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示する作業用表示装置の制御方法であって、
ユーザが前記作業用表示装置を用いて編集した画像を確認するために用いられ、入力された画像を、表示関連処理を実行しながら表示部に表示するマスタ表示装置が実行可能な複数の表示関連処理を表す第１の機能情報を取得し、前記第１の機能情報で表される複数の表示関連処理の中から、１つ以上の表示関連処理を、ユーザに選択させる選択ステップと、
前記選択ステップで選択された表示関連処理と同じ表示関連処理を前記作業用表示装置が実行可能な場合に、該表示関連処理を実行する処理ステップと、
前記処理ステップで表示関連処理が実行されている状態で、入力された画像を表示部に表示する表示ステップと、
を有し、
表示関連処理毎に、その表示関連処理を代替する他の表示関連処理である代替表示関連処理が予め定められており、
前記選択ステップで選択された表示関連処理と同じ表示関連処理を前記作業用表示装置が実行不可能な場合に、前記表示関連処理ステップでは、前記作業用表示装置が実行可能な複数の表示関連処理のうち、前記選択ステップで選択された表示関連処理に対応する代替表示関連処理を実行する
ことを特徴とする作業用表示装置の制御方法。
【請求項２１】
前記選択ステップで選択された表示関連処理と同じ表示関連処理、及び、該表示関連処理に対応する代替表示関連処理を前記作業用表示装置が実行不可能な場合に、前記表示ステップでは、前記マスタ表示装置と同じ表示を行えない旨の警告を表示する
ことを特徴とする請求項２０に記載の作業用表示装置の制御方法。
【請求項２２】
前記作業用表示装置は、前記第１の機能情報と、前記作業用表示装置が実行可能な複数の表示関連処理を表す第２の機能情報と、表示関連処理毎に、その表示関連処理に対応する代替表示関連処理を表す代替情報と、を記憶する記憶部を有しており、
前記選択ステップでは、前記記憶部から前記第１の機能情報を取得し、
前記表示関連処理ステップでは、
前記選択ステップで選択された表示関連処理と、前記第２の機能情報とを比較して、前記選択ステップで選択された表示関連処理と同じ表示関連処理を前記作業用表示装置が実行可能か否かを判断し、
前記選択ステップで選択された表示関連処理と同じ表示関連処理を前記作業用表示装置が実行不可能であると判断した場合に、前記選択ステップで選択された表示関連処理と、前記代替情報とを比較して、前記選択ステップで選択された表示関連処理に対応する代替表示関連処理を判断する
ことを特徴とする請求項２０または２１に記載の作業用表示装置の制御方法。
【発明の詳細な説明】
【技術分野】
【０００１】
本発明は、表示管理システムに関する。
【背景技術】
【０００２】
近年、画像を入力し表示する表示装置（以下ディスプレイと表記する）の高性能化に伴い、ディスプレイが有する機能が増加している。また、機能の増加に伴い、設定可能な設定値が増加している。
設定値は、例えば、表示装置の仕様に関する設定値、表示に関する設定値、画像処理に関する設定値などである。
【０００３】
表示装置の仕様に関する設定値は、例えば、解像度（表示解像度）、表現可能な色域、表現可能な階調（ｂｉｔ深度）、フレームレートなどである。
表示に関する設定値は、例えば、輝度調整値、色温度設定値、ガンマ設定値などである。
画像処理に関する設定値は、例えば、表示画像の先鋭度を調整するエンハンサ設定値、表示色を人間の記憶色をもとに補正する記憶色補正処理の設定値（例えば、補正後の色の値）、動画のフレームレートを変換するフレームレート変換処理の設定値（例えば、補正後のフレームレート）、表示フレームの間に黒画像を挿入することで動画応答性を向上させる黒挿入処理の実行の有無、表示画像の統計値に基づいてガンマ値を補正するダイナミックガンマ処理の実行の有無などである。
【０００４】
ここで、上記画像処理の機能は、統一規格や基準があるわけではなく、表示装置によって、有する画像処理機能の種類、画像処理の実現方法、得られる効果が異なるのが一般的である。以下では、上記画像処理の機能を「ディスプレイ独自機能」もしくは単に「独自機能」と表記する。
【０００５】
また、上述したようにディスプレイの機能が増加し、設定の自由度が向上した結果、ディスプレイの応用例のひとつとして、他のディスプレイをエミュレーションできるディスプレイが開発されてきている。エミュレーションとは、あるハードウェア向けに開発されたソフトウェアを、設計の異なる他のハードウェア上で実行させることである。エミュレーションでは、エミュレータというソフトウェアを介して、疑似的に他のディスプレイの環境を作り出すことで、プログラムを動作させる。
映画製作等のワークフローにおいて、最終的な表示は例えばプロジェクタで行うことになる。プロジェクタの特性をエミュレーションできるディスプレイを用意すれば、実際にプロジェクタを用いずとも製作コンテンツ（作成された画像）の妥当性を確認することができる。
【０００６】
上記のような、最終出力デバイス（最終的に画像を表示するディスプレイ）をエミュレーションできるディスプレイは、高価なものになる。そのため、１つの仕事（１つのワークフロー）で数台程度しか用意できないのが一般的である。以下では、上記の最終出力デバイスをエミュレーションできるディスプレイをマスタディスプレイ（マスタ表示装置）と呼ぶ。
【０００７】
一方、映画製作等のワークフローでは、映画製作業務を数十人から数百人体制で行うのが一般的である。そのため、各作業者は、他のディスプレイをエミュレーションする機能を持たないディスプレイを用いて作業を行うことになる。以下、他のディスプレイをエミュレーションする機能を持たないディスプレイを、作業用ディスプレイ（作業用表示装置
）と呼ぶ。
【０００８】
このようなエミュレーション機能（他のディスプレイをエミュレーションする機能）は、ディスプレイ独自機能の組み合わせで実現される。ディスプレイ独自機能はディスプレイによって異なるのが一般的である。そのため、作業用表示装置での作業結果を、確認のためにマスタ表示装置（または最終的な表示デバイス（プロジェクタなど））に表示する場合に、所望の結果を得ることは難しい。具体的には、ディスプレイ独自機能の違いにより、作業用表示装置での表示結果と、マスタ表示装置での表示結果とが大きくずれてしまうことがある。
【０００９】
特許文献１には、端末で画像処理装置の処理結果を表示する方法が開示されている。具体的には、特許文献１には、端末が画像処理済みの画像の送信をサーバに要求すると、サーバが使用する画像処理装置を決定し、該画像処理装置で画像処理が適用された画像を端末に送信することが開示されている。
特許文献２には、プリンタのような画像形成装置の使用時に、ユーザ毎、機能毎に機能制限を設けられるシステムが開示されている。特許文献２のシステムでは、ホットフォルダ等を用いて特定の用途向けの印刷であることをシステムにユーザが通知すると、ユーザ毎の機能制限が解除され、機能制限が用途に応じた機能制限に切り替えられる。
【先行技術文献】
【特許文献】
【００１０】
【特許文献１】特開２００５−１６７６７８号公報
【特許文献２】特開２０１０−２８６５８号公報
【発明の概要】
【発明が解決しようとする課題】
【００１１】
しかしながら、上記特許文献１，２に開示の技術を用いたとしても、作業用表示装置での作業結果を、確認のためにマスタ表示装置に表示する場合に、所望の結果を容易に得ることはできない。
特許文献１に開示の技術から、マスタ表示装置のエミュレーションをサーバで実施し、エミュレーション結果を作業用表示装置で表示することが考えられる。しかしながら、そのような構成では、作業用表示装置のディスプレイ独自機能により、エミュレーション結果に更なる処理が適用されてしまうため、正しいエミュレーション結果を表示することができない。そもそも、上記構成を採ったとしても、ディスプレイ独自機能の違いにより、作業用表示装置での作業結果と、マスタ表示装置のエミュレーション結果とは大きくずれてしまう。
特許文献２に開示の技術から、ディスプレイの機能を用途に応じて制限することが考えられる。しかしながら、ディスプレイ独自機能はディスプレイによって異なるのが一般的であるため、用途に応じてディスプレイの機能を制限したとしても、作業用表示装置での表示結果と、マスタ表示装置での表示結果とがずれてしまうことがある。
【００１２】
本発明は、作業用表示装置での作業結果をマスタ表示装置で確認する場合に、所望の結果を容易に得ることのできる技術を提供することを目的とする。
【課題を解決するための手段】
【００１３】
本発明の第１の態様は、
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
管理サーバと、
を有する表示管理システムであって、
前記管理サーバは、
前記マスタ表示装置が実行可能な複数の表示関連処理の中から、１つ以上の表示関連処理を、ユーザに選択させる選択手段と、
前記選択手段で選択された表示関連処理と同じ表示関連処理を前記作業用表示装置が実行可能な場合に、該表示関連処理を前記作業用表示装置に指示する指示手段と、
を有し、
前記作業用表示装置は、
前記指示手段から指示された表示関連処理を実行する処理手段と、
前記処理手段で表示関連処理が実行されている状態で、入力された画像を表示部に表示する表示手段と、
を有する
ことを特徴とする表示管理システムである。
【００１４】
本発明の第２の態様は、
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
を有する表示管理システムであって、
前記マスタ表示装置は、
前記マスタ表示装置が実行可能な複数の表示関連処理の中から、１つ以上の表示関連処理を、ユーザに選択させる選択手段と、
前記選択手段で選択された表示関連処理と同じ表示関連処理を前記作業用表示装置が実行可能な場合に、該表示関連処理を前記作業用表示装置に指示する指示手段と、
を有し、
前記作業用表示装置は、
前記指示手段から指示された表示関連処理を実行する処理手段と、
前記処理手段で表示関連処理が実行されている状態で、入力された画像を表示部に表示する表示手段と、
を有する
ことを特徴とする表示管理システムである。
【００１５】
本発明の第３の態様は、
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置であって、
ユーザが前記作業用表示装置を用いて編集した画像を確認するために用いられ、入力された画像を、表示関連処理を実行しながら表示部に表示するマスタ表示装置が実行可能な複数の表示関連処理を表す第１の機能情報を取得し、前記第１の機能情報で表される複数の表示関連処理の中から、１つ以上の表示関連処理を、ユーザに選択させる選択手段と、
前記選択手段で選択された表示関連処理と同じ表示関連処理を前記作業用表示装置が実行可能な場合に、該表示関連処理を実行する処理手段と、
前記表示関連処理手段で表示関連処理が実行されている状態で、入力された画像を表示部に表示する表示手段と、
を有し、
表示関連処理毎に、その表示関連処理を代替する他の表示関連処理である代替表示関連処理が予め定められており、
前記選択手段で選択された表示関連処理と同じ表示関連処理を前記作業用表示装置が実行不可能な場合に、前記処理手段は、前記作業用表示装置が実行可能な複数の表示関連処理のうち、前記選択手段で選択された表示関連処理に対応する代替表示関連処理を実行する
ことを特徴とする作業用表示装置である。
【００１６】
本発明の第４の態様は、
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
管理サーバと、
を有する表示管理システムの制御方法であって、
前記管理サーバが、前記マスタ表示装置が実行可能な複数の表示関連処理の中から、１つ以上の表示関連処理を、ユーザに選択させる選択ステップと、
前記管理サーバが、前記選択ステップで選択された表示関連処理と同じ表示関連処理を前記作業用表示装置が実行可能な場合に、該表示関連処理を前記作業用表示装置に指示する指示ステップと、
前記作業用表示装置が、前記指示ステップで指示された表示関連処理を実行する処理ステップと、
前記作業用表示装置が、前記処理ステップで表示関連処理が実行されている状態で、入力された画像を表示部に表示する表示ステップと、
を有することを特徴とする表示管理システムの制御方法である。
【００１７】
本発明の第５の態様は、
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示することができる作業用表示装置と、
ユーザが前記作業用表示装置を用いて編集した画像を確認するために用いられ、入力された画像を、表示関連処理を実行しながら表示部に表示することができるマスタ表示装置と、
を有する表示管理システムの制御方法であって、
前記マスタ表示装置が、前記マスタ表示装置が実行可能な複数の表示関連処理の中から、１つ以上の表示関連処理を、ユーザに選択させる選択ステップと、
前記マスタ表示装置が、前記選択ステップで選択された表示関連処理と同じ表示関連処理を前記作業用表示装置が実行可能な場合に、該表示関連処理を前記作業用表示装置に指示する指示ステップと、
前記作業用表示装置が、前記指示ステップで指示された表示関連処理を実行する処理ステップと、
前記作業用表示装置が、前記処理ステップで表示関連処理が実行されている状態で、入力された画像を表示部に表示する表示ステップと、
を有することを特徴とする表示管理システムの制御方法である。
【００１８】
本発明の第６の態様は、
ユーザが画像を編集する際に用いられ、入力された画像を、ＦＲＣ、黒挿入、ローカルディミング、ダイナミックガンマ、記憶色補正、または、エンハンサである表示関連処理を実行しながら表示部に表示する作業用表示装置の制御方法であって、
ユーザが前記作業用表示装置を用いて編集した画像を確認するために用いられ、入力された画像を、表示関連処理を実行しながら表示部に表示するマスタ表示装置が実行可能な複数の表示関連処理を表す第１の機能情報を取得し、前記第１の機能情報で表される複数の表示関連処理の中から、１つ以上の表示関連処理を、ユーザに選択させる選択ステップと、
前記選択ステップで選択された表示関連処理と同じ表示関連処理を前記作業用表示装置が実行可能な場合に、該表示関連処理を実行する処理ステップと、
前記処理ステップで表示関連処理が実行されている状態で、入力された画像を表示部に表示する表示ステップと、
を有し、
表示関連処理毎に、その表示関連処理を代替する他の表示関連処理である代替表示関連処理が予め定められており、
前記選択ステップで選択された表示関連処理と同じ表示関連処理を前記作業用表示装置が実行不可能な場合に、前記表示関連処理ステップでは、前記作業用表示装置が実行可能な複数の表示関連処理のうち、前記選択ステップで選択された表示関連処理に対応する代替表示関連処理を実行する
ことを特徴とする作業用表示装置の制御方法である。
【発明の効果】
【００１９】
本発明によれば、作業用表示装置での作業結果をマスタ表示装置で確認する場合に、所望の結果を容易に得ることができる。
【図面の簡単な説明】
【００２０】
【図１】実施例１に係る表示管理システムの機能構成の一例を示すブロック図
【図２】マスタ表示装置の独自機能情報の一例を示す図
【図３】作業用表示装置の独自機能情報の一例を示す図
【図４】仕事・工程定義情報を生成及び蓄積する際に表示する画像の一例を示す図
【図５】仕事・工程定義情報を生成及び蓄積する際に表示する画像の一例を示す図
【図６】仕事・工程定義情報の一例を示す図
【図７】ＩＤ蓄積部が記憶する情報の一例を示す図
【図８】実施例１に係る独自機能設定値の決定処理の流れの一例を示すフローチャート
【図９】実施例２に係る表示管理システムの機能構成の一例を示すブロック図
【図１０】実施例３に係る作業用表示装置の機能構成の一例を示すブロック図
【発明を実施するための形態】
【００２１】
＜実施例１＞
まず、本発明の実施例１に係る表示管理システム及びその制御方法について説明する。
図１は、実施例１に係る表示管理システムの機能構成の一例を示すブロック図である。
作業用表示装置１００は、ユーザが画像を編集する際に用いられ、入力された画像を必要に応じて画像処理を施して表示する。
作業用表示装置１００は、管理サーバ２００に対して仕事・工程定義情報の送信を要求する。仕事・工程定義情報は、ユーザが行う作業（仕事及び工程）の候補を表す情報である。ここで、「仕事」は、「映画製作」などの作業全体を意味し、「工程」は、「字幕合成」など、「仕事」内の一部の作業を意味する。作業用表示装置１００は、受信した仕事・工程定義情報から、ユーザが行う仕事及び工程の情報を選択する。そして、作業用表示装置１００は、選択した情報（仕事・工程情報）を出力する。
また、作業用表示装置１００は、管理サーバ２００からの要求に従って独自機能情報を出力する。独自機能情報は、作業用表示装置１００が実行可能な画像処理（独自機能）を表す。
さらに、作業用表示装置１００は、管理サーバ２００から独自機能設定値を受け取る。独自機能設定値は、独自機能を表す。そして、作業用表示装置１００は、受け取った設定値に従って独自機能を実行して表示を行う。即ち、作業用表示装置１００は、画像を、管理サーバ２００から指示された画像処理を施して表示部に表示する。
【００２２】
管理サーバ２００は、作業用表示装置１００からの仕事・工程定義情報の送信要求に応じて仕事・工程定義情報を出力する。
また、管理サーバ２００は、作業用表示装置１００からの仕事・工程情報と、作業用表示装置１００とマスタ表示装置３００の独自機能情報とを用いて、作業用表示装置１００で実行する独自機能を決定する。そして、管理サーバ２００は、その決定結果を表す設定値を送信する。
【００２３】
マスタ表示装置３００は、ユーザが作業用表示装置１００を用いて編集した画像を確認するために用いられ、入力された画像を必要に応じて画像処理を施して表示部に表示する。
マスタ表示装置３００は、管理サーバ２００からの要求に従って、独自機能情報（マスタ表示装置３００が実行可能な画像処理を表す情報）を出力する。
【００２４】
作業用表示装置１００の各機能について説明する。
画像受信部１０１は、外部から画像を受信し、独自機能処理部１０２に出力する。
独自機能処理部１０２は、画像に、管理サーバ２００から指示された画像処理（独自機能）を施す。具体的には、独自機能処理部１０２は、設定値設定部１１１から独自機能設定値を受け取る。独自機能処理部１０２は、受け取った独自機能設定値に応じた独自機能
を画像に対して実行する。そして、独自機能処理部１０２は、画像処理された画像をディスプレイ出力部１０３に出力する。
ディスプレイ出力部１０３は、独自機能処理部１０２から受信した画像（画像処理が施された画像）を図示しない表示パネル（液晶ディスプレイパネル、プラズマディスプレイパネル、有機ＥＬディスプレイパネルなど）に表示する。
【００２５】
仕事・工程定義要求部１０４は、作業用表示装置の起動時に、仕事・工程定義情報を管理サーバ２００に問い合わせる。
さらに、仕事・工程定義要求部１０４は、管理サーバ２００から仕事・工程定義情報を受けとり、仕事・工程送信部１０５に送信する。
仕事・工程送信部１０５は、ユーザの操作パネル等（不図示）の操作に応じて、仕事・工程定義要求部１０４が受信した仕事・工程定義情報から、作業用表示装置１００の使用目的を表す仕事・工程情報を選択する。例えば、ディスプレイ出力部１０３は、管理サーバ２００からの仕事・工程定義情報の受信に応じて、該情報を表示パネル（作業用表示装置１００の表示パネルなど）に表示する。ユーザは、表示された仕事・工程定義情報を見ながら、作業用表示装置１００の使用目的を表す仕事・工程を選択する操作を行う。そして、仕事・工程送信部１０５は、ユーザ操作に応じて、仕事・工程定義情報から、作業用表示装置１００の使用目的を表す仕事・工程情報を選択する。仕事・工程送信部１０５は、選択した仕事・工程情報を管理サーバ２００に送信する。
【００２６】
独自機能要求受信部１０６は、管理サーバ２００から独自機能情報の送信要求を受けると、独自機能管理部１０７に該送信要求を伝える。
独自機能管理部１０７は、独自機能要求受信部１０６から送信要求を受けると、独自機能蓄積部１０８から独自機能情報（作業用表示装置１００の独自機能を表す情報）を読み出す。そして、独自機能管理部１０７は、読み出した独自機能情報を独自機能送信部１０９に送信する。独自機能管理部１０７が管理する情報（独自機能情報）については後述する。
独自機能蓄積部１０８は、作業用表示装置１００の独自機能情報を蓄積、保持する。
独自機能送信部１０９は、受信した作業用表示装置１００の独自機能情報を管理サーバ２００に送信する。
【００２７】
設定値取得部１１０は、管理サーバ２００から独自機能設定値を受信し、設定値設定部１１１に出力する。
設定値設定部１１１は、設定値取得部１１０から受信した独自機能設定値を、独自機能処理部１０２に出力する。
【００２８】
管理サーバ２００の各機能について説明する。
仕事・工程定義要求受信部２０１は、作業用表示装置１００から仕事・工程定義情報の送信要求を受けると、独自機能蓄積部２０２から、仕事・工程定義情報を読み出し、作業用表示装置１００に出力する。
独自機能蓄積部２０２は、仕事・工程定義情報として、作業ごとに、ユーザが作業用表示装置を用いてその作業を行うことにより編集した画像をマスタ表示装置３００を用いて確認する際にマスタ表示装置３００が実行する画像処理（独自機能）の情報を蓄積する。具体的には、独自機能蓄積部２０２は、仕事・工程定義情報として、仕事、工程、マスタ表示装置のエミュレーションモード、マスタ表示装置の独自機能、及び、該独自機能の識別子（ＩＤ）が対応付けられた情報を蓄積する。
また、独自機能蓄積部２０２は、作業用表示装置１００の独自機能を蓄積する。
独自機能蓄積部２０２に蓄積される情報の詳細については後述する。
【００２９】
仕事・工程受信部２０３は、作業用表示装置１００から仕事・工程情報を受信し、独自
機能管理部２０４に出力する。
独自機能管理部２０４は、仕事・工程受信部２０３から仕事・工程情報を受けると、作業用表示装置１００の独自機能情報が独自機能蓄積部２０２に蓄積されているか否かを確認する。
【００３０】
独自機能蓄積部２０２に作業用表示装置１００の独自機能情報が蓄積されていない場合には、作業用表示装置１００の独自機能情報の収集が行われる。具体的には、独自機能管理部２０４が、独自機能要求部２０５に対して、作業用表示装置１００の独自機能情報の収集を依頼する。
独自機能蓄積部２０２に作業用表示装置１００の独自機能情報が蓄積されている場合には、独自機能管理部２０４は、独自機能設定値を決定する。具体的には、独自機能管理部２０４は、独自機能蓄積部２０２から作業用表示装置１００の独自機能と、作業用表示装置１００を用いて編集した画像の確認時にマスタ表示装置３００が実行する独自機能とを読み出し、比較する。そして、該比較により、作業用表示装置１００の独自機能のうち、マスタ表示装置３００の独自機能（作業用表示装置１００を用いて編集した画像の確認時にマスタ表示装置３００が実行する独自機能）と同一の独自機能が判別される。但し、マスタ表示装置３００の独自機能（作業用表示装置１００を用いて編集した画像の確認時にマスタ表示装置３００が実行する独自機能）と同一の独自機能を作業用表示装置が有していないこともある。そのような場合には、独自機能管理部２０４は、ＩＤ蓄積部２１３を参照して、作業用表示装置１００が有する独自機能のうち、作業用表示装置１００を用いて編集した画像の確認時にマスタ表示装置３００が実行する独自機能として代用可能な独自機能を判別する。そして、独自機能管理部２０４は、上記判別した独自機能を示す情報を、作業用表示装置１００に設定（指示）する独自機能設定値として、設定値送信部２０７に出力する。
独自機能管理部２０４の動作（独自機能設定値の決定方法）の詳細は後述する。
【００３１】
ＩＤ蓄積部２１３は、不図示の外部入力部等から、独自機能のＩＤと、その独自機能として代用可能な独自機能のＩＤとを受け取り、蓄積する。本実施例では、作業用表示装置１００及びマスタ表示装置３００の独自機能を含む複数の独自機能のＩＤと、各独自機能の代用可能な独自機能のＩＤとが蓄積されるものとする。
ＩＤ蓄積部２１３に蓄積される情報については後述する。
設定値送信部２０７は、入力された独自機能設定値を作業用表示装置１００（設定値取得部１１０）に出力する。
【００３２】
独自機能要求部２０５は、独自機能管理部２０４から独自機能情報の収集依頼を受けると、作業用表示装置１００に独自機能情報の送信を要求する。
独自機能受信部２０６は、作業用表示装置１００からの独自機能情報を受信し、独自機能蓄積部２０２に蓄積する。
【００３３】
要求依頼部２０８は、ユーザの操作パネル等（不図示）の操作に応じて、マスタ表示装置３００の独自機能情報の収集を独自機能要求部２０９に依頼する。具体的には、ユーザが管理サーバ２００に対して仕事の設定を指示すると、要求依頼部２０８は、マスタ表示装置３００の独自機能情報の収集を独自機能要求部２０９に依頼する。なお、要求依頼部２０８は、マスタ表示装置３００の起動やマスタ表示装置３００の管理サーバ２００への接続をトリガとして、独自機能情報の収集を独自機能要求部２０９に依頼してもよい。
独自機能要求部２０９は、要求依頼部２０８から独自機能情報の収集依頼を受けると、マスタ表示装置３００に独自機能情報の送信を要求する。
独自機能受信部２１０は、マスタ表示装置３００から独自機能情報を受信し、仕事・工程定義情報作成部２１１に出力する。
【００３４】
仕事・工程定義情報作成部２１１は、独自機能受信部２１０からマスタ表示装置３００の独自機能情報を受信し、仕事・工程定義入力部２１２からユーザ操作に応じた情報を受信する。そして、仕事・工程定義情報作成部２１１は、受信したそれらの情報を用いて、仕事・工程定義情報を生成し、独自機能蓄積部２０２に蓄積する。
仕事・工程定義入力部２１２は、マスタ表示装置３００が実行可能な画像処理（独自機能）から、ユーザが作業用表示装置１００を用いて編集した画像をマスタ表示装置３００を用いて確認する際にマスタ表示装置３００が実行する画像処理をユーザに選択させる。具体的には、仕事・工程定義入力部２１２は、ユーザ操作に応じて、仕事、工程、マスタ表示装置３００のエミュレーションモードと独自機能（使用するエミュレーションモードと独自機能）を表す情報を、仕事・工程定義情報作成部２１１に出力する。
【００３５】
マスタ表示装置３００の各機能について説明する。
独自機能要求受信部３０１は、管理サーバ２００から独自機能情報の送信要求を受けると、独自機能管理部３０２に該送信要求を伝える。
独自機能管理部３０２は、独自機能要求受信部３０１から送信要求を受けると、独自機能蓄積部３０３から独自機能情報（マスタ表示装置３００の独自機能を表す情報）を読み出す。そして、独自機能管理部３０２は、読み出した独自機能情報を独自機能送信部３０４へ送信する。
独自機能蓄積部３０３は、マスタ表示装置３００の独自機能情報を蓄積、保持する。
独自機能送信部３０４は、受信したマスタ表示装置３００の独自機能情報を管理サーバ２００に送信する。
【００３６】
本実施例において、マスタ表示装置３００が有する独自機能とエミュレーションモードについて図２を用いて説明する。図２は、独自機能蓄積部３０３に蓄積される独自機能情報の一例を示す。
図２の「エミュレーションモード」は、マスタ表示装置３００が有するエミュレーションモードを示す。
「使用独自機能」は、対応するエミュレーションモードで使用されるマスタ表示装置３００の独自機能を示す。
「ＩＤ」は、対応する独自機能のＩＤを示す。
【００３７】
図２は、マスタ表示装置３００が、「Ｃ社プロジェクタモード」と「Ｐ社テレビモード」の２つのエミュレーションモードを有することを示している。「Ｃ社プロジェクタモード」は、Ｃ社のプロジェクタの表示をマスタ表示装置３００がエミュレーションするモードである。「Ｐ社テレビモード」は、Ｐ社のテレビの表示をマスタ表示装置３００がエミュレーションするモードである。
【００３８】
図２は、「Ｃ社プロジェクタモード」で「ＦＲＣ」、「黒挿入」、「ローカルディミング」、「ダイナミックガンマ」、「記憶色補正」、「エンハンサ」の６つの独自機能が使用されることを示している。また、図２は、「Ｐ社テレビプロジェクタモード」でも、上記６つの独自機能が使用されることを示している。
【００３９】
「ＦＲＣ」は、フレームレート変換機能（Ｆｒａｍｅ  Ｒａｔｅ  Ｃｏｎｖｅｒｓｉｏｎ；ＦＲＣ）を意味し、入力された動画像のフレームレートを変換する機能を意味する。「ＦＲＣ」機能の詳細については、本発明の趣旨ではないので省略する。図２の例では、「Ｃ社プロジェクタモード」で使用する「ＦＲＣ」のＩＤは「ＦＲＣ００４」であり、「Ｐ社テレビモード」で使用する「ＦＲＣ」のＩＤは「ＦＲＣ００６」である。
ここで、独自機能（画像処理）は、アルゴリズムと、処理に必要なパラメタの値との組で特定される。本実施例では、アルゴリズムとパラメタの値の組み合わせ１つにつきユニークなＩＤが静的に割り当てられているものとする。「Ｃ社プロジェクタモード」と「Ｐ
社テレビモード」とで「ＦＲＣ」のＩＤが異なるのはこのため（独自機能のアルゴリズムやパラメタの値が異なるため）である。
なお、「ＩＤ」の決定方法については詳細に説明しないが、「ＩＤ」は、例えば、マスタ表示装置の製造元や定義団体等により決定される。
【００４０】
「黒挿入」は、入力された動画像のフレーム間に黒画像を挿入する機能を意味する。「黒挿入」は、液晶パネルのように動画応答性が高くない表示デバイスを採用したディスプレイで、視覚的な動画応答性を高めるために行われる。「黒挿入」機能の詳細については、本発明の主旨ではないので省略する。図２の例では、「Ｃ社プロジェクタモード」で使用する「黒挿入」のＩＤは「Ｋ００１」であり、「Ｐ社テレビモード」で使用する「黒挿入」のＩＤは「Ｋ００２」である。
【００４１】
「ローカルディミング」は、例えば直下型のＬＥＤバックライトを有する液晶パネルにおいて、ダイナミックレンジを高めるために、液晶素子の制御と連動してバックライトの輝度を所定の領域ごとに制御する機能である。「ローカルディミング」機能の詳細については、本発明の主旨ではないので省略する。図２の例では、「Ｃ社プロジェクタモード」で使用する「ローカルディミング」のＩＤは「ＬＤ００５」であり、「Ｐ社テレビモード」で使用する「ローカルディミング」のＩＤは「ＬＤ００４」である。
【００４２】
同様に、「ダイナミックガンマ」、「記憶色補正」、「エンハンサ」に対してもＩＤが対応付けられている。
【００４３】
このように、マスタ表示装置３００が有するエミュレーションモードは、各独自機能のＩＤの組み合わせ、即ち各独自機能のアルゴリズムとパラメタの値の組み合わせで実現される。そのため、マスタ表示装置３００のエミュレーションモードは、独自機能のＩＤの組み合わせで定義できる。
【００４４】
従って、マスタ表示装置３００と作業用表示装置１００とで同じＩＤの独自機能を使用すれば、マスタ表示装置３００と作業用表示装置１００とで同一の処理を行わせ、同一の表示を行うことが可能となる。
【００４５】
本実施例において、作業用表示装置１００が有する独自機能について図３を用いて説明する。図３は、独自機能蓄積部１０８に蓄積される独自機能情報の一例を示す。
図３の「所有独自機能」は、作業用表示装置１００が有する独自機能を示す。
「使用可能ＩＤ」は、対応する独自機能として実行可能な独自機能のＩＤを示す。
図３は、作業用表示装置１００が、「ＦＲＣ」、「黒挿入」、「記憶色補正」、「エンハンサ」の４つの独自機能を有することを示す。
図３の例では、「ＦＲＣ」に、「ＦＲＣ００３」、「ＦＲＣ００１」、「ＦＲＣ００５」、「ＦＲＣ００６」の４つのＩＤが対応付けられている。これは、作業用表示装置１００が、ＩＤ「ＦＲＣ００３」、「ＦＲＣ００１」、「ＦＲＣ００５」、または、「ＦＲＣ００６」のＦＲＣを実行でき、それ以外のＩＤのＦＲＣを実行できないことを意味する。同様に、「黒挿入」、「記憶色補正」、「エンハンサ」に対しても、実行可能な独自機能のＩＤが対応付けられている。
【００４６】
次に、マスタ表示装置３００の独自機能情報と仕事・工程情報とを関連付けして独自機能蓄積部２０２に蓄積する際の処理の流れについて説明する。即ち、管理サーバ２００の仕事・工程定義情報を生成及び蓄積する際の処理の流れについて説明する。
【００４７】
まず、仕事・工程定義入力部２１２は、図４に示すような画像の表示を行い、仕事名と、その仕事で使用するエミュレーションモードとをユーザに入力（選択）させる。即ち、
その仕事で編集された画像の確認時にマスタ表示装置３００に設定するエミュレーションモードをユーザに入力させる。図４の例では、使用するエミュレーションモードが、図２の独自機能情報で示されるエミュレーションモード（即ち、マスタ表示装置３００が有するエミュレーションモード）から選択されるように、表示が行われている。設定された仕事名とエミュレーションモードの情報は、仕事・工程定義情報作成部２１１へ出力される。なお、仕事・工程定義入力部２１２は、仕事・工程定義情報作成部２１１からマスタ表示装置の独自機能情報を取得することで図４のような表示を行うことができる。
【００４８】
次に、仕事・工程定義入力部２１２は、図５に示すような画像の表示を行い、工程名と、その工程で使用する独自機能とをユーザに入力（選択）させる。即ち、その工程で編集された画像の確認時にマスタ表示装置３００が実行する独自機能をユーザに入力させる。図５の例では、使用する独自機能が、図４の画像表示時に選択されたエミュレーションモードに対応付けられた独自機能（マスタ表示装置３００の独自機能）から選択されるように、表示が行われている。設定された工程名と独自機能の情報は、仕事・工程定義情報作成部２１１へ出力される。
なお、図４，５の画像はマスタ表示装置３００に表示されてもよいし、作業用表示装置１００に表示されてもよい。管理サーバ２００が表示部を有する場合には、該表示部に表示されてもよい。
【００４９】
仕事・工程定義入力部２１２は、１つの仕事に対し、必要な工程の数だけ図５の画像を繰り返し表示する。必要な工程の数は、事前（仕事名の設定時など）にユーザに入力されていてもよい。また、ユーザが仕事・工程の入力を終了する操作を行うまで図５の画像を繰り返し表示してもよい。必要数の工程の設定が終わると、仕事・工程定義情報作成部２１１により、図６に示すような仕事・工程定義情報が生成され、独自機能蓄積部２０２に蓄積される。具体的には、仕事・工程定義情報として、仕事、使用するエミュレーションモード、工程、使用する独自機能、使用する独自機能のＩＤが対応付けられたテーブルが生成される。テーブル内のＩＤは、独自機能受信部２１０から入力された独自機能情報（マスタ表示装置３００の独自機能情報）を用いて一意に設定される。
【００５０】
ＩＤ蓄積部２１３に蓄積される情報について説明する。
すでに説明した通り、ＩＤの決定方法については詳細に説明をしないが、本実施例では、マスタ表示装置３００の製造元や定義団体等により決定されているものとする。
同様に、あるＩＤの独自機能として代用可能な他のＩＤの独自機能についても、マスタ表示装置３００の製造元や定義団体等により決定されているものとする。
【００５１】
ＩＤ蓄積部２１３は、例えば、図７に示すようなテーブルを記憶する。図７の例では、独自機能名、各独自機能のＩＤ、各ＩＤ（各独自機能）として代用可能な独自機能のＩＤが対応付けられている。
図７は、例えば、ＩＤ「ＦＲＣ００１」の独自機能として、ＩＤ「ＦＲＣ００２」、「ＦＲＣ００３」の独自機能が代用可能であることを示す。換言すれば、ＩＤ「ＦＲＣ００１」の独自機能による処理と、ＩＤ「ＦＲＣ００２」、「ＦＲＣ００３」の独自機能による処理とで、ほぼ等しい効果が得られることを示す。
【００５２】
次に、独自機能管理部２０４による、作業用表示装置１００で実行する独自機能のＩＤの決定処理（独自機能設定値の決定処理）について図８を用いて詳細に説明する。
【００５３】
まず、独自機能管理部２０４は、仕事・工程受信部２０３から作業用表示装置１００で行われる作業を表す仕事・工程情報を受け取り、該仕事・工程情報と独自機能蓄積部２０２に記憶されている仕事・工程定義情報とを比較する。そして、仕事・工程情報で示される仕事及び工程に対応するマスタ表示装置３００のエミュレーションモードと独自機能の
ＩＤとの情報を独自機能蓄積部２０２から取得する（Ｓ１０１）。即ち、作業用表示装置１００を用いて編集した画像の確認時にマスタ表示装置３００が実行する画像処理（マスタ実行画像処理）の情報が取得される。
【００５４】
次に、独自機能管理部２０４は、Ｓ１０１で独自機能蓄積部２０２から取得した情報から、仕事・工程情報で示される仕事及び工程を行う際に独自機能の実行が必要か否かを判断する（Ｓ１０２）。具体的には、Ｓ１０１の処理で取得した情報に独自機能のＩＤが含まれているか否かを判断する。
仕事・工程情報で示される仕事及び工程を行う際に独自機能の実行が不要である場合、即ち、Ｓ１０１の処理で取得された情報に独自機能のＩＤが含まれていなかった場合には、Ｓ１０８へ処理が進められる。
仕事・工程情報で示される仕事及び工程を行う際に独自機能の実行が必要である場合、即ち、Ｓ１０１の処理で取得された情報に独自機能のＩＤが含まれていた場合には、Ｓ１０３へ処理が進められる。
【００５５】
Ｓ１０８では、独自機能管理部２０４は、設定値送信部２０７を介して作業用表示装置１００に独自機能を使用しないように指示する。例えば、独自機能管理部２０４は、独自機能設定値として空の情報を送信するように設定値送信部２０７に指示する。それにより、作業用表示装置１００では独自機能を実行せずに画像が表示される。
【００５６】
Ｓ１０３では、独自機能管理部２０４は、独自機能蓄積部２０２から作業用表示装置１００の独自機能情報を取得する（Ｓ１０３）。
そして、独自機能管理部２０４は、作業用表示装置１００を用いて編集した画像の確認時にマスタ表示装置３００が実行する画像処理（マスタ実行画像処理）を、作業用表示装置１００が実行可能か否かを判断する（Ｓ１０４）。具体的には、作業用表示装置１００の独自機能情報に、仕事・工程定義情報の仕事・工程情報で示される仕事及び工程に対応付けられたＩＤ（マスタ実行ＩＤ）が含まれているか否かを判定する。
マスタ実行画像処理を作業用表示装置１００が実行可能な場合には、Ｓ１０６へ処理が進められる。即ち、作業用表示装置１００の独自機能情報にマスタ実行ＩＤが含まれている場合には、Ｓ１０６へ処理が進められる。
マスタ実行画像処理を作業用表示装置１００が実行不可能な場合には、Ｓ１０５へ処理が進められる。即ち、作業用表示装置１００の独自機能情報にマスタ実行ＩＤが含まれてない場合には、Ｓ１０５へ処理が進められる。
【００５７】
Ｓ１０５では、独自機能管理部２０４は、ＩＤ蓄積部２１３を参照し、マスタ実行画像処理として代用可能な画像処理を作業用表示装置１００が実行可能か否かを判断する。具体的には、作業用表示装置１００の独自機能情報に、ＩＤ蓄積部２１３に蓄積されている情報において上記マスタ実行ＩＤに対応付けられているＩＤが含まれているか否かを判定する。
マスタ実行画像処理として代用可能な画像処理を作業用表示装置１００が実行可能な場合には、Ｓ１０６へ処理が進められる。即ち、作業用表示装置１００の独自機能情報に、ＩＤ蓄積部２１３に蓄積されている情報において上記マスタ実行ＩＤに対応付けられているＩＤが含まれている場合には、Ｓ１０６へ処理が進められる。
マスタ実行画像処理として代用可能な画像処理を作業用表示装置１００が実行不可能な場合には、Ｓ１０７へ処理が進められる。即ち、作業用表示装置１００の独自機能情報に、ＩＤ蓄積部２１３に蓄積されている情報において上記マスタ実行ＩＤに対応付けられているＩＤが含まれていない場合には、Ｓ１０７へ処理が進められる。
【００５８】
Ｓ１０６では、独自機能管理部２０４は、設定値送信部２０７を介して作業用表示装置１００に、マスタ表示装置３００と同じ又は同等の独自機能（画像処理）を指示する。具
体的には、独自機能管理部２０４は、Ｓ１０４またはＳ１０５で実行可能と判定された画像処理（独自機能）のＩＤを独自機能設定値として出力するよう設定値送信部２０７に指示する。即ち、本実施例では、マスタ実行画像処理を作業用表示装置１００が実行可能な場合には、該画像処理が作業用表示装置１００に指示される。また、マスタ実行画像処理を作業用表示装置１００が実行不可能な場合には、作業用表示装置１００が実行可能な画像処理のうち、マスタ実行画像処理として代用可能な画像処理が、作業用表示装置１００に指示される。それにより、作業用表示装置１００では、画像が、確認時にマスタ表示装置３００で実行される画像処理と同じ（又は同等の）画像処理が施されて表示される。その結果、作業時での作業用表示装置１００の表示と、確認時のマスタ表示装置３００の表示とが同じ（同等）となる。
そして、処理がＳ１０９へ進められる。
【００５９】
Ｓ１０７では、独自機能管理部２０４は、設定値送信部２０７を介して作業用表示装置１００に、マスタ表示装置３００と同じ表示を行えない旨の警告の表示を指示する。例えば、独自機能管理部２０４は、独自機能設定値として、マスタ表示装置３００と同じ表示を行えないことを表す警告信号が送信するように設定値送信部２０７に指示する。その場合、作業用表示装置１００（ディスプレイ出力部１０３）は、表示パネルにマスタ表示装置３００と同じ表示を行えない旨の警告を表示する。それにより、ユーザ（作業者）に、自身の装置（作業用表示装置１００）ではマスタ表示装置３００と同じ表示を行えないことを知らせることができる。ユーザは、自身の装置（作業用表示装置１００）ではマスタ表示装置３００と同じ表示を行えないことを知ることで、作業用表示装置１００の変更や、作業用表示装置１００を用いた作業内容の変更などを適宜行うことができる。具体的には、ユーザは、使用する装置を、マスタ表示装置３００と同じ表示を行える作業用表示装置への変更することができる。また、ユーザは、作業用表示装置１００を用いた作業内容を、マスタ表示装置３００と同じ表示を行える作業内容へ変更することができる。
【００６０】
仕事・工程定義情報の作成時に、仕事・工程情報で示される仕事及び工程に対して複数の画像処理が選択されていた場合には、選択された画像処理毎に、作業用表示装置１００への指示（独自機能設定値の出力）が行われる。即ち、仕事・工程定義情報において、仕事・工程情報で示される仕事及び工程に複数の独自機能（画像処理）が対応付けられている場合には、独自機能毎に、Ｓ１０４からＳ１０７までの処理が行われる。
Ｓ１０９では、独自機能管理部２０４は、仕事・工程定義情報において、仕事・工程情報で示される仕事及び工程に対応付けられている全ての独自機能に対してＳ１０４からＳ１０７の処理を実行したか否かを判断する。
全ての独自機能に対してＳ１０４からＳ１０７の処理を実行した場合には、本フローは終了される。そうでない場合には、処理対象の独自機能を切り替えてＳ１０４へ戻る。
【００６１】
独自機能蓄積部２０２に図２，３，６の情報が記憶され、ＩＤ蓄積部２１３に図７の情報が記憶されている場合の、独自機能設定値の決定処理について説明する。以下では、作業用表示装置１００での仕事として「Ａ社向けの映画製作」が、工程として「プレカラーグレーディング工程」が選択されたものとする。
【００６２】
まず、Ｓ１０１で、図６の仕事・工程定義情報から、仕事「Ａ社向けの映画製作」、工程「プレカラーグレーディング工程」に対応する独自機能「ローカルディミング」、「記憶色補正」のＩＤ「ＬＤ００５」、「ＫＨ００１」が取得される。
よって、Ｓ１０２で、仕事・工程情報で示される仕事及び工程を行う際に独自機能が必要であると判定され、処理がＳ１０３へ進められる。
【００６３】
そして、Ｓ１０３で、図３の独自機能情報が取得される。図３に示すように、作業用表示装置１００は、「ローカルディミング」の独自機能を有しておらず、「記憶色補正」の
独自機能としてＩＤ「ＫＨ００１」を有していることが分かる。
まず、「ローカルディミング」が処理対象の独自機能として選択され、Ｓ１０４以降の処理が行われる。
上述したように、作業用表示装置１００は「ローカルディミング」の独自機能を有していない。そのため、Ｓ１０４，Ｓ１０５で、作業用表示装置１００が、マスタ実行画像処理（ＩＤ「ＬＤ００５」）、及び、該マスタ実行画像処理として代用可能な画像処理が実行不可能であると判断され、Ｓ１０７へ処理が進められる。その結果、作業用表示装置１００では警告表示が行われる。警告表示は、例えば、「この装置では、マスタ表示装置と同等のローカルディミングを実行できないため、マスタ表示装置での表示と異なる表示がされます」などの警告文の表示である。
【００６４】
次に、「記憶色補正」が処理対象とされていないため、Ｓ１０９で処理対象が「記憶色補正」とされ、Ｓ１０４へ処理が戻される。
上述したように、作業用表示装置１００は「記憶色補正」の独自機能としてＩＤ「ＫＨ００１」の独自機能を有している。そのため、Ｓ１０４で、作業用表示装置１００がマスタ実行画像処理を実行可能であると判断され、Ｓ１０６へ処理が進められる。その結果、作業用表示装置１００では、画像が、ＩＤ「ＫＨ００１」の画像処理（記憶色補正）が施されて表示される。
なお、作業用表示装置１００が有する「記憶色補正」の独自機能がＩＤ「ＫＨ００３」の独自機能である場合には、Ｓ１０４で、作業用表示装置１００がマスタ実行画像処理を実行不可能であると判断される。そして、Ｓ１０５で、作業用表示装置１００が、マスタ実行画像処理として代用画像な画像処理（ＩＤ「ＫＨ００３」の画像処理）を実行可能であると判断され、Ｓ１０６へ処理が進められる。その結果、作業用表示装置１００では、画像が、ＩＤ「ＫＨ００３」の画像処理が施されて表示される。
【００６５】
以上述べたように、本実施例によれば、マスタ表示装置が実行可能な画像処理から、ユーザが作業用表示装置を用いて編集した画像をマスタ表示装置を用いて確認する際にマスタ表示装置が実行する画像処理が、ユーザによって選択される。そして、選択された画像処理を作業用表示装置が実行可能な場合には、該画像処理が作業用表示装置で実行される。それにより、作業用表示装置での作業結果をマスタ表示装置で確認する場合に、所望の結果を得ることが可能となる。具体的には、作業用表示装置で実行する画像処理をマスタ表示装置と一致させることができ、作業用表示装置での表示と、マスタ表示装置での表示とを一致させることができる。また、本実施例によれば、多種多様な画像処理の中から作業用表示装置で実行する画像処理が自動的に選択される。そのため、ユーザが試行錯誤して実行する画像処理を決める必要が無く、作業用表示装置の表示とマスタ表示装置の表示とを容易に一致させることができる。
また、本実施例によれば、上記選択された画像処理を作業用表示装置が実行不可能な場合に、作業用表示装置が実行可能な画像処理のうち、該選択された画像処理として代用可能な画像処理が作業用表示装置で実行される。それにより、選択された画像処理を作業用表示装置が実行不可能な場合であっても、作業用表示装置での表示と、マスタ表示装置での表示とを一致させることができる。
また、本実施例によれば、上記選択された画像処理、及び、該画像処理として代用可能な画像処理を作業用表示装置が実行不可能な場合に、作業用表示装置では、マスタ表示装置と同じ表示を行えない旨の警告の表示が行われる。それにより、ユーザに対して、現在の作業用表示装置では、マスタ表示装置と同じ表示を行えないということを把握させることができる。
【００６６】
なお、本実施例では、仕事・工程定義情報の作成時に、仕事・工程情報で示される仕事及び工程に対して複数の画像処理が選択されていた場合には、選択された画像処理毎に独自機能設定値の出力が行われるものとしたが、このような構成に限らない。例えば、独自機能設定値の出力は１回であってもよい。具体的には、選択された画像処理毎に作業用表示装置で実行させる画像処理（選択された画像処理または該画像処理として代用可能な画像処理）のＩＤが決定され、決定された全てのＩＤが独自機能設定値として出力されてもよい。また、選択された画像処理の中に、画像処理及び該画像処理として代用可能な画像処理のいずれも作業用表示装置で実行不可能なものが１つでも存在する場合には、独自機能設定値として上記警告信号が出力されてもよい。警告信号を出力せずに、実行可能な画像処理（選択された画像処理または該画像処理として代用可能な画像処理）のＩＤのみが独自機能設定値として出力されてもよい。
【００６７】
＜実施例２＞
次に、本発明の実施例２に係る表示管理システム及びその制御方法について説明する。
図９は、実施例２に係る表示管理システムの機能構成の一例を示すブロック図である。
なお、図９において実施例１と同様の機能・動作を行う機能ブロックについては同一の符号を付し、説明を省略する。
本実施例に係る表示管理システムは、作業用表示装置とマスタ表示装置（管理サーバ）を有する。具体的には、図９に示すように、本実施例では、実施例１でマスタ表示装置が管理していた独自機能情報（マスタ表示装置の独自機能情報）を、管理サーバが有する。換言すると、実施例１の管理サーバの機能をマスタ表示装置が有する。
【００６８】
作業用表示装置１００は、構成、動作共に実施例１と同一である。
【００６９】
管理サーバ６００（マスタ表示装置）は、作業用表示装置１００からの仕事・工程定義情報の送信要求に応じて仕事・工程定義情報を出力する。
また、管理サーバ６００は、作業用表示装置１００からの仕事・工程情報と、作業用表示装置１００と自身（マスタ表示装置）の独自機能情報とを用いて、作業用表示装置１００に設定する独自機能を決定する。そして、管理サーバ６００は、その決定結果を表す設定値を送信する。
【００７０】
管理サーバ６００の各機能について説明する。なお、実施例１と同様の機能については同じ符号を付し、その説明は省略する。
仕事・工程定義入力部６０１は、マスタ表示装置（管理サーバ６００）が実行可能な画像処理（独自機能）から、ユーザが作業用表示装置１００を用いて編集した画像をマスタ表示装置を用いて確認する際にマスタ表示装置が実行する画像処理をユーザに選択させる。具体的には、仕事・工程定義入力部６０１は、ユーザの操作に応じて、仕事、工程、マスタ表示装置のエミュレーションモードと独自機能を表す情報を、仕事・工程定義情報作成部６０２に出力する。仕事・工程定義入力部６０１の動作の詳細は、実施例１の仕事・工程定義入力部２１２と同様のため、その説明は割愛する。
【００７１】
仕事・工程定義情報作成部６０２は、独自機能蓄積部６０３に蓄積されている独自機能情報と、仕事・工程定義入力部６０１からの情報を用いて、独自機能定義情報を生成し、独自機能蓄積部２０２に蓄積する。独自機能定義情報の生成方法は、実施例１の仕事・工程定義情報作成部２１１での方法と同様のため、その説明は割愛する。
独自機能蓄積部６０３は、自身（マスタ表示装置）の独自機能情報（例えば、図２と同様の情報）を蓄積、保持する。なお、独自機能蓄積部６０３には上記独自機能情報が予め記憶されていてもよいし、そうでなくてもよい。例えば、管理サーバ６００がマスタ表示装置とは異なる装置である場合には、不図示の外部入力部等から図２と同様の情報が入力され、独自機能蓄積部６０３に蓄積されてもよい。
【００７２】
以上述べたように、本実施例によれば、管理サーバとマスタ表示装置の機能が１つの装置によって実現される。そのため、管理サーバとマスタ表示装置との間の通信を省略する
ことができる。また、実施例１よりも少ない装置で実施例１と同様の機能を実現することができる。
【００７３】
＜実施例３＞
次に、本発明の実施例３に係る作業用表示装置及びその制御方法について説明する。
図１０は、実施例３に係る作業用表示装置の機能構成の一例を示すブロック図である。
なお、図１０において実施例１，２と同様の機能・動作を行う機能ブロックについては同一の符号を付し、説明を省略する。
本実施例の作業用表示装置７００は、実施例１でマスタ表示装置が管理していた独自機能情報（マスタ表示装置の独自機能情報）を記憶部に記憶している。また、本実施例に係る作業用表示装置７００は、実施例１の管理サーバの機能を更に有する。
【００７４】
作業用表示装置７００の各機能について説明する。なお、実施例１，２と同様の機能については、同じ符号を付し、その説明は省略する。
仕事・工程入力部７０１は、独自機能蓄積部２０２から仕事・工程定義情報を受け取り、ユーザ操作に応じて選択された仕事・工程情報を独自機能管理部７０２に通知する。
【００７５】
独自機能管理部７０２は、仕事・工程入力部７０１から仕事・工程情報を受け取ると、該仕事・工程情報で示される仕事及び工程に対応するマスタ表示装置のエミュレーションモードと独自機能の情報を独自機能蓄積部２０２から読み出す。さらに、独自機能管理部７０２は、作業用表示装置７００の独自機能情報を独自機能蓄積部１０８から読み出す。
独自機能管理部７０２は、読みだした作業用表示装置７００の独自機能とマスタ表示装置の独自機能（マスタ実行画像処理）を比較する。そして、該比較により、作業用表示装置７００が実行可能な画像処理のうち、マスタ実行画像処理と同一の画像処理が判別される。但し、マスタ実行画像処理と同一の独自機能を作業用表示装置が有していないこともある。そのような場合には、独自機能管理部７０２は、ＩＤ蓄積部２１３を参照して、作業用表示装置７００が実行可能な画像処理のうち、マスタ実行画像処理として代用可能な画像処理を判別する。そして、独自機能管理部７０２は、上記判別した画像処理（独自機能）を示す情報を、独自機能設定値として、設定値送信部２０７に出力する。
なお、独自機能管理部７０２による独自機能設定値の決定方法は、実施例１と同様のため、説明は割愛する。
【００７６】
設定値設定部７０３は、独自機能管理部７０２から入力された独自機能設定値を、独自機能処理部１０２に出力する。それにより、例えば、マスタ実行画像処理を作業用表示装置７００が実行可能な場合には、該画像処理が入力された画像に施されるため、実施例１，２と同様の効果を得ることができる。
独自機能蓄積部６０３やＩＤ蓄積部２１３へは、例えば、不図示の外部入力部から情報が入力され、蓄積される。
【００７７】
以上述べたように、本実施例によれば、作業用表示装置のみで実施例１，２と同様の効果を得ることができる。また、管理サーバと作業用表示装置及びマスタ表示装置との間の通信を省略することができる。
【符号の説明】
【００７８】
１００  作業用表示装置
１０２  独自機能処理部
１０３  ディスプレイ出力部
２００  管理サーバ
２０４  独自機能管理部
２１２  仕事・工程定義入力部
３００  マスタ表示装置
【図１】
0005917033.tif 000002
【図２】
0005917033.tif 000003
【図３】
0005917033.tif 000004
【図４】
0005917033.tif 000005
【図５】
0005917033.tif 000006
【図６】
0005917033.tif 000007
【図７】
0005917033.tif 000008
【図８】
0005917033.tif 000009
【図９】
0005917033.tif 000010
【図１０】
0005917033.tif 000011